【事件の表示】
平成９年特許願第２４６０１０号「景品引渡システム」拒絶査定に対する審判事件［平成１１年３月２日出願公開、特開平１１−５７１７８号］について、次のとおり審決する。　
【結　論】
　本件審判の請求は、成り立たない。
【理　由】
第一．手続の経緯
　本願は、平成９年８月２８日の出願であって、平成１２年４月２７日付拒絶理由に対応して平成１２年６月２７日付で手続補正がなされ、平成１２年７月１９日付で拒絶査定がなされた。これに対して、同年８月３０日に拒絶査定に対する審判請求がなされるとともに、同年８月３１日付で手続補正がなされたものである。
　　
　　
第二．平成１２年８月３１日付手続補正についての補正却下の決定
　［１］．補正却下の決定の結論
　　平成１２年８月３１日付の手続補正を却下する。
　
　［２］．理由
　　＜１＞．補正後の本願発明
　　　本願発明は、平成１２年８月３１日付手続補正（以下「本件補正」という）により補正された、特許請求の範囲の請求項１乃至３に記載されたとおりのものであるところ、請求項１に記載された発明は以下のとおりである。
「遊技場において客の遊戯チップを点数に換算する手段と、
点数に対応した景品を表示する手段と、表示された景品の中から希望する景品を選択する手段と、
景品引渡しに関する情報をセンターに送信する手段と、　
商店において会員カードまたは運転免許証を利用して個人認証を行なう手段と、
商店において会員カードまたは運転免許証を読み取って自動的にセンターのメールボックスから景品引渡情報を受信する手段
とを具備することを特徴とする景品引渡システム。」
　　　
　　＜２＞．先ず、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下検討する。
　　　（１）．引用刊行物記載事項
　　　　原査定の拒絶の理由に引用された特開平４−２３１９８９号公報、特開平３−６８３８５号公報（周知例として）、さらに、本願出願前に頒布された刊行物である特開平４−１０５６８０号公報、特開平９−１０４１４号公報には、図面とともに、以下の事項が記載されている。
　　
　　　　（Ａ）．特開平４−２３１９８９号公報（以下「刊行物Ａ」という）
　　　　　（Ａ−１）．「パチンコ機２による遊技の結果付与される付与有価価値の一例の持点が記録された持点カードが持点カード処理装置１３から利用者に払出される。この持点カードには、前記持点を直接記憶してもよいが、その代わりに、この持点カードにはカード番号を記録させておき、ホール用管理コンピュータ６のそのカード番号に対応させて前記持点を記憶させておき、持点カードに記録されているカード番号を手掛かりホール用管理コンピュータ６の方で該当する持点を割出して特定できるようにしてもよい。この持点カード１９（図３参照）により、遊技者が前記遊技機により遊技を行なった結果その遊技者に付与される付与有価価値を特定可能な情報を記録する遊技者用記録媒体が構成されている。遊技者は、前記入手した持点カードを遊技場１００に設置されているカウンタ１１４の持点カード読取装置５に挿入することにより、その持点が読取られてその持点の範囲内で煙草やチョコレート等の一般景品や特殊景品１３８（図６参照）との交換が可能となる。」（第５欄第９〜２７行）
　　　　　（Ａ−２）．「なお、利用者が未だに景品カード１３６を所持していない場合には、新規発行する必要があり、その場合には、カウンタ１１５により利用者の住所，氏名，電話番号等の必要事項を記載してもらい、挿入された持点カード１９の持点の範囲内で金額を景品カード１３６に記録してその景品カード１３６を利用者に新規発行する。」（第６欄第２１〜２６行）
　　　　　（Ａ−３）．「【００２３】一方、景品交換所１０２のカウンタ１１５には、景品カード発行会社１０４に加盟している各加盟店１０５，１０６，１０７が販売している商品やサービス等の種々の売買対象からなる景品が掲載されたカタログが用意されており、利用者はそのカタログを見て自己の欲する商品やサービス等の景品を選択する。そして、自己の欲する景品を景品カード１３６を用いて景品交換したい場合には、利用者は自己の景品カード１３６を景品処理装置（景品カード処理機）９に挿入し、カタログで選んだ自己の欲する景品を特定するコード（景品番号）やその個数等を入力する。するとその景品番号がターミナルボックス１１３を介して景品カード発行会社１０４の集中管理コンピュータ１１２に伝送され、集中管理コンピュータ１１２では利用者の住所に近い加盟店を捜し出してその加盟店（たとえば１０５）に伝送されてきた景品番号，景品個数と利用者の住所，氏名，電話番号等を伝送する。すると、送信されてきた景品番号に対応する商品やサービス等の景品が加盟店１０５から利用者に直送される。」（第６欄第３１〜４９行）
　　　　　（Ａ−４）．「【００２４】また、景品処理装置（景品カード処理機）９に、特殊景品を払出す機能を設けてもよい。その場合には、利用者が景品カード１３６を挿入し、その景品カード１３６に記録されている残額の範囲内で特殊景品１３８（第３Ｄ図参照）が利用者に払出される。景品交換所１０２には特殊景品交換装置８が設けられており、利用者が前記特殊景品をこの特殊景品交換装置８に挿入することによりその挿入された特殊景品１３８に相当する金額の現金が利用者に払出される。なお、現金の払出しの代わりに利用者の景品カード１３６の残額を増額更新するようにしてもよい。この特殊景品交換装置８はターミナルボックス１１３を介して景品カード発行会社１０４の集中管理コンピュータ１１２に接続されており、特殊景品１３８の出庫額が集中管理コンピュータ１１２に伝送されるように構成されている。」
　　　　　（Ａ−５）．「【００２５】一方、カタログによる景品交換ではなく実際にその景品を目で見て確かめて購入したいという利用者は、景品カード１３６を持参して加盟店１０６に行き、その景品カード１３６を加盟店１０６に設置されている景品処理装置９に挿入し、加盟店１０６で販売されている商品やサービス等の売買対象からなる景品で自己の欲するものの種類や個数を景品処理装置９に入力する。」（第７欄第２３〜３０行）
　　　　　（Ａ−６）．「【００２６】特殊景品を現金に交換する特殊景品交換装置８は銀行１０８にも設置されており、利用者は自己の所有する特殊景品を銀行１０８に持参しその特殊景品を銀行１０８に設置されている特殊景品交換装置８に挿入して現金に変換することも可能である。」（第７欄第４３〜４７行）
　　　　　（Ａ−７）．「なお、景品処理装置（景品カード処理機）９と特殊景品交換装置（特殊景品精算機）８とを遊技場１００，１０１内に設けて、前述した景品交換所１０２の機能を遊技場１００，１０１に持たせてもよい。」（第１４欄第１６〜２０行）
　　　　　（Ａ−８）．「【００４１】図６は、特殊景品を示す正面図である。特殊景品１３８はプレート状の樹脂の一部に磁気ストライプ１３９が形成された磁気カードで構成されている。この磁気ストライプ１３９には、この特殊景品１３８が発行された番号である発行番号，この特殊景品１３８のセキュリティを向上させるためのセキュリティコード等が記録されている」（第１４欄第４８行〜第１５欄第４行）
　　　　　（Ａ−９）．「【００５１】図１３は、特殊景品の入出庫データを表わす図である。特殊景品１３８は２，０００円と５００円と１００円の３種類があり、景品入庫数とは各景品交換所１０２や銀行１０８から景品カード発行会社１０４に返却されてきた特殊景品１３８の数を特殊景品１３８の種類ごとに示したものである。」（第１７欄第３９〜４４行）
　　　　　（Ａ−１０）．してみると、刊行物Ａには以下の事項が記載されていることとなる。
　景品の交換手段として、パチンコ遊技の結果付与される有価価値である持点の範囲内で金額が記録された景品カードを、景品交換所に設置された景品処理装置に挿入し、加盟各店が販売している商品、サービス等が掲載されたカタログから選んだ景品、及びその個数等、景品取得に関するデータを遊技者が入力すると、当該データは景品カード発行会社の集中管理コンピュータに伝送され、集中管理コンピュータでは当該データ、及び遊技者の住所、氏名等を加盟店に伝送して当該景品の遊技者への配達を依頼することによる、景品交換手段。
　また、前記景品交換所の機能を遊技場が備えてもよいこと、及び前記遊技者への景品の配達に代わり、遊技者が直接加盟点に出向いて景品を取得する店頭景品交換手段、同様に銀行等に出向いて、特殊景品を、現金に交換する店頭現金交換手段等が記載され、当該特殊景品はプレート状の樹脂の一部に発行番号が記録された磁気カードで構成され、当該カードは発行元に返却されるものであること。
　　
　　　　（Ｂ）．特開平３−６８３８５号公報（以下「刊行物Ｂ」という）
　　　　　（Ｂ−１）．「メンバーズカード読取機１４は、利用者が挿入したメンバーズカード５に記録されている口座番号を読取り、システムセンタ３に送る」（第３頁左上欄第５〜８行）
　　　　　（Ｂ−２）．「景品交換端末装置２は、パチンコ出玉と景品の交換を行うための景品交換所を有する複数の加盟店Ａ、Ｂ、Ｃ・・・の各々に設置され、操作端末装置１と同様システムセンタ３と通信により接続されている。また、景品交換端末装置２を設置する加盟店Ａ、Ｂ、Ｃ・・・としては、百貨店、商店等が考えられるし、パチンコ店であってもよい。この場合、パチンコ店以外の百貨店等に設置するようにすれば、パチンコ店における景品交換所としてのスペースが不要となり、かつ景品交換のための作業もなくなる。」（第３頁右上欄第２〜１２行）
　　　　　（Ｂ−３）．「システムセンタ３は、利用者のメンバー登録、出玉の積立、景品交換後の精算、口座照会等の処理を行うものであり、ホストコンピュータ３１と、記録手段としての情報ファイル３２と、送信制御装置３３と、受信制御装置３４と、送信ユニット３５及び受信ユニット３６とで構成されている。ホストコンピュータ３１は、受信ユニット３６、受信制御装置３４を介して操作端末装置１と景品交換端末装置２からの情報（暗証番号、店番号、出玉数等）を受信し、送信制御装置３３と送信ユニット３５を介して積立玉数、照会の回答等を操作端末装置１及び景品端末装置２に送信する。」（第３頁左下欄第行〜同頁右下欄第２行）
　　
　　　　（Ｃ）．特開平９−１０４１４号公報（以下「刊行物Ｃ」という）
　　　　　（Ｃ−１）．「【０００６】　（１）景品に相当するカードを発行する遊技場と、このカードに基づき景品を交換する景品交換所と、使用済カードを直接または間接に回収して再利用可能な形態で前記遊技場へ供給するカードを回収する回収業者とより成る遊技機の景品交換システムにおいて、遊技場で所定の情報を書き込んだカードを発行する発行手段と、発行されたカードの情報を読み取り、その情報が適正と判定したカードのみ景品交換可能とする景品交換所に設けられる景品交換手段とを備えた。」（第３欄第３〜１１行）
　　　　　（Ｃ−２）．「【００４３】　一方、上記パチンコホール３でのログ情報及び景品交換所４でのログ情報は、前述のようにそれぞれオンラインで管理コンピュータを有した照合機６に送られ、この照合機６で両者の記憶内容が照合される（Ｓ６）。この照合は、必要に応じて例えば一日一回行われる。」（第３欄第１９〜２４行）
　　
　　　　（Ｄ）．特開平４−１０５６８０号公報（以下「刊行物Ｄ」という）
　　　　　（Ｄ−１）．「（課題を解決するための手段）　上記目的を達成するために、この発明は、パチンコ店にて遊技客が獲得したパチンコ玉数に応じて景品または特定景品を払出すように構成されたパチンコ店の管理システムにおいて、前記パチンコ玉の玉数を係数するとともに、該玉数に対応した情報を有する発券を発行する発券装置と、該発券を読取るとともに、特定景品を払出す特定景品払出装置と、該各装置に接続された汎用のコンピュータを備えた管理コンピュータ装置と、を有して、前記発券装置及び特定景品払出装置が管理コンピュータ装置により管理制御されることにより、該遊技客が獲得したパチンコ玉数に併せて、該発券を特定する特定情報を該発券に記録するとともに、同一の情報を前記管理コンピュータ装置に記憶して、該発券を特定景品払出装置により読取る際に、該情報を照会し、合致することを確認した上で、特定景品を払出すように構成したことにより、上記目的を達成するものである。」（第３頁左上欄第１２行〜右上欄第１１行）
　
　　＜３＞．刊行物Ａと本願補正発明との対比
　　　　（ア）．用語の定義
　　　　　　(i)．「景品引渡情報」について、
　　　　　　　本願明細書段落【００１５】に「パチンコホールで、・・・。図３に示すように、客は画面に表示された景品のカタログから景品を選択する。景品を選択すると、景品の種類と数量のデータが、遊戯場端末１から通信回線２を経由してセンターサーバ３に伝送される。センターサーバ３では、その景品を扱っている商店のメールボックスに、景品の種類と数量と取引識別符号などからなる景品引渡依頼を書き込む。それと同時に、遊戯場端末１に対して、景品の種類と数量と識別符号を送信する。遊戯場端末１では、景品を引き渡す商店と識別符号を書いた個人認証票を発行して客に渡す。個人認証票には、バーコードなどの機械読取り可能な符号を印刷する。また、センターサーバ３から銀行に対して、遊戯場の口座から商店の口座に商品代金を振り込むことを依頼する。」
　　　段落【００１６】に「客は、個人認証票を持って指定された商店に出向き、景品の引渡しを請求する。商店では、個人認証票のバーコードを読み取って確認し、商店端末５を使ってセンターサーバ３をアクセスし、景品引渡情報をメールボックス４で確認して、客に景品を引き渡す。」
　  　段落【００２２】に「図４は、本発明の第２の実施の形態の景品引渡システムの動作フローを示す図である。・・・。遊戯場端末１には、図３に示すように、点数に応じた景品と、その景品を引き渡せる商店の一覧が記載された景品カタログが表示される。客が景品と商店を選択すると、商店端末５からセンターサーバ３にその情報が送信される。また、図５に示すようなバーコードが印刷された個人認証票が発行される。センターサーバ３では、景品情報を受信すると、その商店のメールボックス４に景品引渡依頼を書き込む。遊戯場端末１に対して、景品引渡情報と取引識別符号を送る。遊戯場端末１では、商店と個人識別符号を印刷した、図５に示すような個人認証票（お客様用ＩＤカード）を発行する。個人識別符号はバーコードでも印刷される。」
　　　段落【００２３】に「客は、個人認証票を持って商店に行き、景品を請求する。商店では、個人認証票を商店端末５で読み取り、自動的にセンターサーバ３をアクセスし、メールボックス４を読んで、景品の種類と数量を確認する。その景品を客に引き渡し、センターサーバ３に引渡し完了を通知する。センターサーバ３では、取引完了を記録し、メールボックス４の取引データを消去する。」
　　　段落【００２９】に「図６は、本発明の第３の実施の形態の景品引渡システムの動作フローを示す図である。・・・・。遊戯場端末１には、図７に示すような、景品を提供できる商店の一覧表が表示される。希望の景品がありそうな商店を選択すると、図８に示すような、その商店が提供できる景品の一覧表が表示される。客の点数の範囲内で景品をいくつか選択すると、商店端末５からセンターサーバ３にその情報が送信される。また、図５に示すようなバーコードが印刷された個人認証票が発行される。センターサーバ３では、景品情報を受信すると、その商店のメールボックス４に景品引渡依頼を書き込む。遊戯場端末１に対して、景品引渡情報と取引識別符号を送る。遊戯場端末１では、商店と個人識別符号を印刷した個人認証票を発行する。個人識別符号はバーコードでも印刷される。」
　　　段落【００３０】に「客は、個人認証票を持って商店に行き、景品を請求する。商店では、個人認証票を商店端末５で読み取り、自動的にセンターサーバ３をアクセスし、メールボックス４を読んで、景品の種類と数量を確認する。その景品を客に引き渡し、センターサーバ３に引渡し完了を通知する。センターサーバ３では、取引完了を記録し、メールボックス４の取引データを消去する。」
　と記載されている。
　してみると、
　前記段落【００２２】、【００３０】等の記載から、景品引渡情報と取引識別符号とは相違すること、また、商店がセンターサーバーの自己のメールボックスにから得る情報は、前記段落【００１５】【００３０】【００２３】等の記載から、景品の種類と数量であることから、メールボックスから受信する、「景品引渡情報」とは景品の種類と数量であると認める。
　　　　　　(ii)．「景品引渡に関する情報」について、
　　　　　　　段落【０００９】、【００１０】に「景品の種類と数量と商店などの景品引渡に関する情報」と記載されているから、「景品引渡に関する情報」とは、景品の種類と数量と商店などに関する情報であると認める。
　　　　　　(iii)「個人認証を行う手段」について、
              本願明細書の段落【０００８】に「【発明の実施の形態】　本発明の請求項１に記載の発明は、・・・・・・、商店において会員カードまたは運転免許証を利用して個人認証を行なう手段と、商店において会員カードまたは運転免許証を読み取って自動的にセンターのメールボックスから景品引渡情報を受信する手段とを具備する景品引渡システムであり、・・・・・。」、　段落【００１８】に「なお、景品カタログは、遊戯場の店頭に冊子のカタログを置いてもよい。また、個人認証票を毎回発行するかわりに、会員カードのように一定期間にわたって有効な個人認証票を使用してもよいし、運転免許証のような一般的な証明書を利用してもよい。」と記載され、さらに、個人認証票については、段落【００１５】に「遊戯場端末１では景品を引き渡す商店と識別符号を書いた個人認証票」、段落【００２２】に「遊戯場端末１では、商店と個人識別符号を印刷した、図５に示すような個人認証票（お客様ＩＤカード）を発行する。個人識別符号はバーコードでも印刷される。」と記載され、しかも、その機能は段落【００１６】、【００２３】に記載されているように、メールボックスの内容を読取るために、商店の端末において読取られて、センターサーバーへのアクセス機能である。
　してみると、「個人認証を行う手段」とは、センターサーバに記憶されている景品引渡情報にアクセスする為の、例えばＩＤカード等を用いた端末からのアクセス手段であると認める。
　　　　　　(iv)「メールボックス」について、
             本願明細書の段落【００１３】には「図１は、本発明の第１の実施の形態の景品引渡システムの構成を示すブロック図である。・・・。通信回線２は、センターサーバ３と遊戯場端末１および商店端末５を結ぶインターネットなどの通信ネットワークである。・・・・。メールボックス４は、遊戯場端末１と商店端末５との間のデータ交換のための記憶装置である。・・・。」と記載されており、当該の記載から、「メールボックス」は、ネットワーク上のデータ用記憶装置であると認める。
　　
　　　　（イ）．構成の対応関係
          (i)．刊行物１の「付与有価価値」は、本願補正発明の「遊技チップ」に相当する。
　　　　　(ii)．刊行物１の「景品カードの金額」は、景品を選択できる範囲を示すものであるから、本願補正発明において同様の機能を奏する「点数」に相当する。
　　　　　(iii)．刊行物１の「集中管理コンピュータ１１２」は、カタログなどで選んだ景品及びその個数の情報を受信し、当該受信情報を処理するコンピュータであるから、本願補正発明において同様の機能を奏する「センター」に相当する。
　　
　　　　　（ウ）．一致点、相違点
　　　　　　一致点
            「遊技場において客の遊戯チップを点数に換算する手段と、点数に対応した景品を表示する手段と、表示された景品の中から希望する景品を選択する手段と、景品の種類、数量に関する情報をセンターに送信する手段
を具備することを特徴とする景品引渡システム。」
　　　
　　　　　相違点
　　　　　(i)．景品引渡に関する情報として、前者は、景品の種類、数量であるのに対し、後者は、景品の種類、数量に加えて、商店名である点　
　　　　　(ii)　景品引渡手法として、前者は、景品を景品受取者に配達するのに対し、後者は、景品受取者が商店に出向く点、及び当該相違に基づく景品引渡の具体的手法、すなわち、商店において個人認証を行って、自動的にセンターのメールボックスから景品引渡情報を得る点
　　　
　　　　（エ）．相違点の検討
　　　　　相違点(ii)について、
　　　　　　商店に注文した、例えば酒などの注文商品の引渡しを受ける手段として、当該商店が受注品を配達する引渡手段、及び注文者が当該商店に出向いて引渡を受ける店頭引渡手段は、例えば前記刊行物Ｃ、Ｄに示されるように周知の引渡手段であり、しかも、店頭引渡手段においては、商品引渡時に注文商品、注文者を確認の上、商品が引き渡されることも周知の事項である。
　してみると、刊行物Ａにおける商品引渡手段として、前記周知の店頭引渡手段とすることは単なる設計的変更であり、前記した確認のための情報、すなわち、商品、注文者の住所氏名、引渡商店名に関する情報はネットワーク上の集中管理コンピュータに存在するのであるから当該情報を利用することは当業者ならば容易に想到することであり、そのようなネットワーク上に存在する情報の利用手段として、ネットワーク上のコンピュータと共に存在する記憶手段に情報を格納して、各端末からアクセスして当該情報を利用すること、及び端末からのアクセス手段として、メンバーズカード等のＩＤカードを用いて自動的にアクセスすることは、刊行物２に示されるように周知のネットワーク情報利用手段である。
　したがって、前記した確認のためにの情報、すなわち、商品、注文者等に関する情報の利用手法として、前記刊行物２に示されるような周知のネットワーク情報利用手段とすることも、当業者が店頭引渡手段を採用したことに伴って適宜為し得る程度のことである。
　　
　　　　　相違点(i)について、
          　景品交換所が、例えば、景品の種類毎等のように複数存在する場合における店頭引渡手段においては、景品交換すべき景品交換所を特定する、例えば商店の名前等の情報が景品品引渡に関する情報として必要であることは、当業者が容易に想到することである。
　　
　　＜４＞．むすび
　　　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
　　
第三．本願発明について
　平成１２年８月３１日付の手続補正は上記のとおり却下されたので、本願の請求項１乃至３に係る発明（以下、同項記載の発明を「本願発明１乃至３」という。）は、平成１２年６月２７日付手続補正書の特許請求の範囲の請求項１乃至３に記載された事項により特定されるものであるところ、請求項１に記載された発明は、以下のとおりのものである。
　「　遊戯場において客の遊戯チップを点数に換算する手段と、
点数に対応した景品を表示する手段と、表示された景品の中から希望する景品を選択する手段と、景品引渡しに関する情報をセンターに送信する手段と、商店において会員カードまたは運転免許証を利用して個人認証を行なう手段と、商店においてセンターのメールボックスから景品引渡情報を受信する手段とを具備することを特徴とする景品引渡システム。」
　
　　＜１＞．刊行物記載事項
　　　原査定の拒絶の理由に引用された刊行物、および、その記載事項は、前記「第二、［２］、＜２＞」に記載したとおりである。
　
　　＜２＞．対比・判断
　　　本願発明は、前記「第二、［２］」で検討した本願補正発明の「商店において会員カードまたは運転免許証を読み取って自動的にセンターのメールボックスから景品引渡情報を受信する手段」から、限定事項である「会員カードまたは運転免許証を読み取って自動的に」との構成を省いたものである。
　そうすると、本願発明の構成要件を全て含み、さらに他の構成要件を付加したものに相当する本願補正発明が、前記「第二、＜３＞」に記載したとおり、刊行物Ａ及び、周知技術に基づいて、当業者が容易に発明をすることができたものであるから、本願発明も、同様の理由により、刊行物Ａ、及び、周知技術に基づいて、当業者が容易に発明をすることができたものである。
　なお、審判請求人は、平成１５年６月２０日付「早期審査に関する事情説明書」において、補正案を下記（Ａ）のように提示しているので、当該補正案に対する当審の見解を下記（Ｂ）に簡潔に記載しておく。
　（Ａ）．補正案
　　遊技場の店頭に設置された遊技場端末、該遊戯場外の商店に設置される商店端末及びこれら端末を管理するセンターサーバーからなり上記各端末及びセンターサーバーをネットワークで接続して遊技場の玉やチップを景品に交換する景品引渡し情報システムにおいて、
　上記センターサーバーには上記景品を扱っている商店ごとにデータ交換のための記憶装置を有し、
　上記遊技場端末において客の玉やチップを係数して得られる点数に対応した上記商店の景品を表示し、
　該表示された景品の中から客が希望する景品を選択すると、該選択された景品の種類と数量データが前記センターサーバーに送信され、
該送信されたデータに基づきセンターサーバーは、該選択された景品の種類と数量データ及び取引識別符号を前記データ交換のための記憶装置に書き込むと共に、
　前記遊技場端末は、上記商店と取引識別符号情報を有する個人認証票を発行し、上記商店の店頭において、商店端末が上記個人認識票に基づき上記景品引き渡し情報を前記データ交換のための記憶装置から取得することにより、
前記遊技場端末において客の選択した景品を上記遊技場外の商店で引き渡すことを特徴とする店外景品引渡し情報システム。
　（Ｂ）．当審の見解
　　遊戯場端末、遊技場外の商店に設置の端末、及びこれらの端末と情報交換する集中管理コンピュータ、すなわち、センターサーバー
をネットワークで結び、遊戯場でカタログなどに表示された景品の種類と数量を選択すると、当該製品の数量とデータがサーバーに送信されて保持され、店頭引渡の際に、引渡商品及び受取人の確認に際して当該データを用いることは、前記補正発明の検討において記載したように当業者が容易に想起できることである。
　そして、前記店頭引渡に際して行う確認として、前記補正発明が会員カード、運転免許証等を利用した個人認証であるのに対し、補正案では商店名と取引識別符号が記載された個人認証票である点で相違する。
　しかしながら、遊技場で景品交換カードを発行すると共に、当該カード記録事項と同内容の事項を管理コンピュータに送信し、景品交換所にて景品交換する際、当該景品交換カード記載事項の真偽を、景品交換所から前記管理コンピュータに問い合わせる景品交換システムは前記刊行物Ｃ、Ｄのように周知のシステムであり、前記記載事項には、その機能からして取引を特定するための情報が含まれることは当業者にとっては明らかなことである。
　さらに、景品交換所が、例えば、景品の種類毎等のように複数存在する場合における店頭引渡手段においては、景品交換すべき景品交換所を特定する、例えば商店の名前等の情報が景品品引渡に関する情報として必要であることは、当業者が容易に想到することである。
　したがって、前記相違点は、当業者が容易に為し得る程度の事項であるから、補正案によるも特許を受けることはできない。
　
　　＜３＞．むすび
　以上のとおり、本願発明は、刊行物Ａに記載された発明、及び、周知技術に基づいて、当業者が容易に発明をすることができたものであるから、特許法第２９条第２項の規定により特許を受けることができない。
　よって、結論のとおり審決する。